(57)【特許請求の範囲】
【請求項１】
通電により発光する光源ランプと、
上記光源ランプの発する光を用いて光像を形成し、投影対象に向けて放射する投影手段と、
上記光源ランプの破損を検出する検出手段と、
上記検出手段での検出結果を装置の電源切断時に保持する保持手段と、
電源オン時に上記光源ランプへの通電に先だって、上記保持手段に保持された上記検出結果を参照し、上記検出結果に基づいて上記光源ランプへの通電を制御する制御手段と
を具備したことを特徴とする投影装置。
【請求項２】
上記制御手段は、上記保持手段に保持された検出結果が上記光源ランプの破損を示すものであった場合、上記光源ランプへの通電を停止させることを特徴とする請求項１記載の投影装置。
【請求項３】
上記制御手段は、上記光源ランプの交換がされたことを判断する判断手段を有し、
上記制御手段は、上記保持手段に保持された検出結果が上記光源ランプの破損を示すものであった場合、上記判断手段で光源ランプの交換がされたことが判断されるまで、上記光源ランプへの通電を停止させることを特徴とする請求項１または２記載の投影装置。
【請求項４】
上記制御手段は、上記保持手段に保持された検出結果が上記光源ランプの破損を示すものであった場合、上記判断手段で上記光源ランプの交換がされたことを判断した時点で、上記光源ランプへの通電停止を解除することを特徴とする請求項３記載の投影装置。
【請求項５】
上記制御手段は、上記検出手段での検出に従って上記投影手段での投影動作を停止させることを特徴とする請求項１〜４何れか記載の投影装置。
【請求項６】
上記検出手段は、
上記光源ランプを撮影する撮影手段と、
上記撮影手段で得た画像信号から上記光源ランプが破損しているか否かを判定する判定手段と
を有したことを特徴とする請求項１〜５何れか記載の投影装置。
【請求項７】
上記判定手段は、上記画像信号の画像データと、予め記憶される光源ランプの基準画像データとをパターンマッチング処理により比較することで、上記光源ランプが破損しているか否かを判定することを特徴とする請求項６記載の投影装置。
【請求項８】
上記検出手段は、
上記光源ランプを含む領域の音声を集音する集音手段と、
上記集音手段で得た音声信号の音圧が所定のしきい値を超えているか否かを判定する判定手段と
を有することを特徴とする請求項１〜７何れか記載の投影装置。
【請求項９】
上記検出手段は、
上記光源ランプを含む領域の圧力を検知する圧力検知手段と、
上記圧力検知手段で得た圧力信号が所定のしきい値を超えているか否かを判定する判定手段と
を有したことを特徴とする請求項１〜８何れか記載の投影装置。
【請求項１０】
通電により発光する光源ランプと、上記光源ランプの発する光を用いて光像を形成し、投影対象に向けて放射する投影部とを有する投影装置の投影制御方法であって、
上記光源ランプの破損を検出する検出工程と、
上記検出工程での検出結果を装置の電源切断時に保持する保持工程と、
電源オン時に上記光源ランプへの通電に先だって、上記保持工程に保持された上記検出結果を参照し、上記検出結果に基づいて上記光源ランプへの通電を制御する制御工程と
を有したことを特徴とする投影制御方法。
【請求項１１】
通電により発光する光源ランプと、上記光源ランプの発する光を用いて光像を形成し、投影対象に向けて放射する投影部とを有する投影装置に内蔵されたコンピュータが実行するプログラムであって、
上記光源ランプの破損を検出する検出ステップと、
上記検出ステップでの検出結果を装置の電源切断時に保持する保持ステップと、
電源オン時に上記光源ランプへの通電に先だって、上記保持ステップに保持された上記検出結果を参照し、上記検出結果に基づいて上記光源ランプへの通電を制御する制御ステップと
をコンピュータに実行させることを特徴とするプログラム。
【発明の詳細な説明】
【技術分野】
【０００１】
本発明は、高圧水銀灯等の放電灯を光源のランプに用いる投影装置、投影制御方法及びプログラムに関する。
【背景技術】
【０００２】
従来、ランプドライブ回路と、冷却用のファンを駆動するファンドライブ回路、及びランプの発光状態を検出するフォトセンサーを有し、フォトセンサーによってランプからの光を検出してファンドライブ回路を制御することにより、ランプが点灯している間はファンを回転状態に維持するようにした投射型表示装置の冷却装置の技術が考えられている。（例えば、特許文献１）
【先行技術文献】
【特許文献】
【０００３】
【特許文献１】特開２００２−１５６７０４号公報
【発明の概要】
【発明が解決しようとする課題】
【０００４】
上記技術文献１に記載された技術は、装置の正常／異常に拘わらず、実際にランプが点灯している場合にそれを検出して冷却ファンの動作を維持するものとなっている。
【０００５】
しかしながら、上記特許文献１の技術を含め、光源のランプが動作想定外の理由で消灯した場合、ユーザはランプが破裂したのか、それとも他の要因であるのかを識別することができないという不具合がある。
【０００６】
本発明は上記のような実情に鑑みてなされたもので、その目的とするところは、光源のランプが想定外に消灯した場合に、その要因を特定して対処することが可能な投影装置、投影制御方法及びプログラムを提供することにある。
【課題を解決するための手段】
【０００７】
請求項１記載の発明は、投影装置であって、通電により発光する光源ランプと、上記光源ランプの発する光を用いて光像を形成し、投影対象に向けて放射する投影手段と、上記光源ランプの破損を検出する検出手段と、上記検出手段での検出結果を装置の電源切断時に保持する保持手段と、電源オン時に上記光源ランプへの通電に先だって、上記保持手段に保持された上記検出結果を参照し、上記検出結果に基づいて上記光源ランプへの通電を制御する制御手段とを具備したことを特徴とする。
【０００８】
請求項２記載の発明は、上記請求項１記載の発明において、上記制御手段は、上記保持手段に保持された検出結果が上記光源ランプの破損を示すものであった場合、上記光源ランプへの通電を停止させることを特徴とする。
請求項３記載の発明は、上記請求項１または２記載の発明において、上記制御手段は、上記光源ランプの交換がされたことを判断する判断手段を有し、上記制御手段は、上記保持手段に保持された検出結果が上記光源ランプの破損を示すものであった場合、上記判断手段で光源ランプの交換がされたことが判断されるまで、上記光源ランプへの通電を停止させることを特徴とする。
請求項４記載の発明は、上記請求項３記載の発明において、上記制御手段は、上記保持手段に保持された検出結果が上記光源ランプの破損を示すものであった場合、上記判断手段で上記光源ランプの交換がされたことを判断した時点で、上記光源ランプへの通電停止を解除することを特徴とする。
請求項５記載の発明は、上記請求項１〜４何れか記載の発明において、上記制御手段は、上記検出手段での検出に従って上記投影手段での投影動作を停止させることを特徴とする。
【０００９】
請求項６記載の発明は、上記請求項１〜５何れか記載の発明において、上記検出手段は、
上記光源ランプを撮影する撮影手段と、上記撮影手段で得た画像信号から上記光源ランプが破損しているか否かを判定する判定手段とを有したことを特徴とする。
請求項７記載の発明は、上記請求項６記載の発明において、上記判定手段は、上記画像信号の画像データと、予め記憶される光源ランプの基準画像データとをパターンマッチング処理により比較することで、上記光源ランプが破損しているか否かを判定することを特徴とする。
請求項８記載の発明は、上記請求項１〜７何れか記載の発明において、上記検出手段は、上記光源ランプを含む領域の音声を集音する集音手段と、上記集音手段で得た音声信号の音圧が所定のしきい値を超えているか否かを判定する判定手段とを有したことを特徴とする。
【００１０】
請求項９記載の発明は、上記請求項１〜８何れか記載の発明において、上記検出手段は、上記光源ランプを含む領域の圧力を検知する圧力検知手段と、上記圧力検知手段で得た圧力信号が所定のしきい値を超えているか否かを判定する判定手段とを有したことを特徴とする。
【００１１】
請求項１０記載の発明は、通電により発光する光源ランプと、上記光源ランプの発する光を用いて光像を形成し、投影対象に向けて放射する投影部とを有する投影装置の投影制御方法であって、上記光源ランプの破損を検出する検出工程と、上記検出工程での検出結果を装置の電源切断時に保持する保持工程と、電源オン時に上記光源ランプへの通電に先だって、上記保持工程に保持された上記検出結果を参照し、上記検出結果に基づいて上記光源ランプへの通電を制御する制御工程とを有したことを特徴とする。
【００１２】
請求項１１記載の発明は、通電により発光する光源ランプと、上記光源ランプの発する光を用いて光像を形成し、投影対象に向けて放射する投影部とを有する投影装置に内蔵されたコンピュータが実行するプログラムであって、上記光源ランプの破損を検出する検出ステップと、上記検出ステップでの検出結果を装置の電源切断時に保持する保持ステップと、電源オン時に上記光源ランプへの通電に先だって、上記保持ステップに保持された上記検出結果を参照し、上記検出結果に基づいて上記光源ランプへの通電を制御する制御ステップとをコンピュータに実行させることを特徴とする。
【発明の効果】
【００１３】
本発明によれば、光源のランプが想定外に消灯した場合にも、その要因を特定して対処することが可能となる。
【図面の簡単な説明】
【００１４】
【図１】本発明の第１の実施形態に係るデータプロジェクタ装置が備える電子回路の機能構成を示すブロック図。
【図２】同実施形態に係る電源オン後の光源ランプに対する制御処理動作について示すフローチャート。
【図３】本発明の第２の実施形態に係るデータプロジェクタ装置が備える電子回路の機能構成を示すブロック図。
【図４】同実施形態に係る電源オン後の光源ランプに対する制御処理動作について示すフローチャート。
【発明を実施するための形態】
【００１５】
（第１の実施形態） 
以下本発明をＤＬＰ（Ｄｉｇｉｔａｌ Ｌｉｇｈｔ Ｐｒｏｃｅｓｓｉｎｇ）（登録商標）方式のデータプロジェクタ装置に適用した場合の第１の実施形態について図面を参照して説明する。
【００１６】
図１は、同実施形態に係るデータプロジェクタ装置１０が備える電子回路の機能構成を示すブロック図である。 
同図で、１１はデータプロジェクタ装置１０の本体ケーシング背面側に設けられる入出力コネクタ部であり、例えばピンジャック（ＲＣＡ）タイプのビデオ入力端子、ＲＧＢ入力端子、及びＵＳＢ端子からなる。
【００１７】
入出力コネクタ部１１より入力される各種規格の画像信号は、入出力インタフェース（Ｉ／Ｆ）１２、システムバスＳＢを介して、一般にスケーラとも称される画像変換部１３で階調数等を含む所定のフォーマットの画像信号に統一された後に、投影画像処理部１４へ送られる。
【００１８】
この際、ＯＳＤ（Ｏｎ Ｓｃｒｅｅｎ Ｄｉｓｐｌａｙ）用のモード画像やポインタ等の記号も必要に応じて画像信号上に重畳加工された状態で投影画像処理部１４へ送られる。
【００１９】
投影画像処理部１４は、送られてきた画像信号をビデオＲＡＭ１５に展開して記憶させた上でこのビデオＲＡＭ１５の記憶内容からビデオ信号を生成する。
【００２０】
投影画像処理部１４は、このビデオ信号のフレームレート、例えば６０［フレーム／秒］と色成分の分割数、及び表示階調数を乗算した、より高速な時分割駆動により、空間的光変調素子（ＳＯＭ）である例えばマイクロミラー素子１６を表示駆動する。
【００２１】
一方、リフレクタ１７内に配置された、例えば超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００２２】
そして、マイクロミラー素子１６での反射光で光像が形成され、形成された光像が投影レンズユニット２２を介して、投影対象となるここでは図示しないスクリーンに投影表示される。
【００２３】
上述した如く投影レンズユニット２２は、マイクロミラー素子１６で形成された光像を拡大してスクリーン等の対象に投影するものであり、合焦位置及びズーム位置（投影画角）を任意に可変できるものとする。
【００２４】
すなわち、投影レンズユニット２２を構成する複数の光学レンズ中、図示しないフォーカスレンズ及びズームレンズは共に光軸方向に沿って前後に移動することで制御されるもので、それらレンズはステッピングモータ（Ｍ）２３の回動駆動により移動する。
【００２５】
また、上記カラーホイール１９を回転させるモータ（Ｍ）２４が設けられる。
【００２６】
しかるに、上記光源ランプ１８の点灯駆動、上記カラーホイール１９用のモータ２４の回転駆動、及び上記投影レンズユニット２２用のステッピングモータ２３の回動駆動をいずれも投影光処理部２５が実行する。
【００２７】
加えてこの投影光処理部２５は、リフレクタ１７に取付けられて光源ランプ１８の温度を検出する温度センサ２６からの温度データと、同じくリフレクタ１７の開口に向けて取付けられ、リフレクタ１７内で生じる音声をピックアップするマイクロホン２７からの音声データとを入力する。
【００２８】
上記各回路の動作すべてをＣＰＵ２８が制御する。このＣＰＵ２８は、ＳＤＲＡＭ（シンクロナスＤＲＡＭ）で構成されたメインメモリ２９、動作プログラムや各種定型データ等を記憶した電気的書換可能な不揮発性メモリでなるプログラムメモリ３０を用いてこのデータプロジェクタ装置１０内の制御動作を実行する。
【００２９】
上記ＣＰＵ２８は、操作部３１からの操作信号に応じて各種投影動作を実行する。この操作部３１は、キー操作部と、このデータプロジェクタ装置１０専用の図示しないリモートコントローラからの赤外線変調信号を受信する赤外線受信部とを含み、ユーザが直接または該リモートコントローラを介して操作したキーに基づくキーコード信号をＣＰＵ２８へ直接出力する。
【００３０】
上記ＣＰＵ２８はさらに、上記システムバスＳＢを介してインジケータ部３２及び音声処理部３３と接続される。
【００３１】
インジケータ部３２は、電源のオン／オフ、光源ランプ１８の温度異常等をそれぞれ所定色、例えば緑色、赤色等のＬＥＤ（発光ダイオード）の点灯、点滅により表示する。
【００３２】
音声処理部３３は、ＰＣＭ音源等の音源回路を備え、投影動作時に与えられる音声データをアナログ化し、スピーカ部３４を駆動して拡声放音させ、あるいは必要によりビープ音等を発生させる。
【００３３】
次に上記実施形態の動作について説明する。 
なお、上記メインメモリ２９には、光源ランプ１８の破裂が検出された際にフラグ“１”がセットされるランプ破裂フラグレジスタが設けられるものとする。このランプ破裂フラグレジスタの内容はＣＰＵ２８によりセットされるもので、電源オフ時には不揮発性メモリであるプログラムメモリ３０に転送されて保持され、その後の電源オン時にはプログラムメモリ３０に保持されたランプ破裂フラグの内容が読出されて再度メインメモリ２９にセットされることで、ＣＰＵ２８がセット状態を解除しない限り、電源のオン／オフに関係なく保持される。
【００３４】
図２は、電源スイッチをオンした直後から通常の投影動作に移行し、以後電源スイッチがオフされるまでの光源ランプ１８に関する処理動作について示したものであり、その動作制御はすべてＣＰＵ２８がプログラムメモリ３０に記憶された動作プログラムを読出してメインメモリ２９に展開しながら実行する。
【００３５】
電源をオンした処理当初には、まずプログラムメモリ３０からメインメモリ２９に読出して保持するランプ破裂フラグレジスタにフラグ“１”がセットされているか否かを判断する（ステップＳ１０１）。
【００３６】
ここで、フラグ“１”がセットされていると判断した場合には、前回の電源オフ時に光源ランプ１８が破裂したままであることになるので、その旨を示すエラーメッセージ、例えば、音声処理部３３を用いてスピーカ部３４より 
「ランプを交換して下さい 
交換後にリセットボタンを押して下さい」 
のような音声ガイドメッセージを拡声放音させる（ステップＳ１０２）。このとき、併せてインジケータ部３２で光源ランプ１８の異常を報知するＬＥＤランプを点滅させることで、光源ランプ１８に何らかの異常が生じていることをユーザに報知するものとしても良い。
【００３７】
その上で、光源ランプ１８の交換とそれに伴う所定の操作、例えばユニット単位で交換する光源ランプ１８の取付け部近傍に、通常の投影動作時に操作するキー操作部とは別に配設されるリセットボタンの操作があったか否かにより、上記ランプ破裂フラグレジスタをリセットするための操作ランプ破裂フラグレジスタをリセットするための操作がなされたか否かを判断する（ステップＳ１０３）。
【００３８】
ここでランプ破裂フラグレジスタのリセット操作がなされない場合には、再び上記ステップＳ１０２の処理に戻り、エラーメッセージの報知を続行する。以後、上記ステップＳ１０２，Ｓ１０３の処理を繰返し実行することで、光源ランプ１８の交換とそれに伴うリセット操作とがなされるのを待機する。
【００３９】
そして、ユーザによりランプ破裂フラグレジスタのリセット操作がなされると、ステップＳ１０３でこれを判断して、操作通りにランプ破裂フラグレジスタにセットされていたフラグ“１”をリセットしてその内容を“０”とする。
【００４０】
なお、当然ながら上記ステップＳ１０１でランプ破裂フラグレジスタにフラグ“１”がセットされていないと判断した場合には、上記ステップＳ１０２〜Ｓ１０４の処理は省略するものとして実行しない。
【００４１】
その後、あらためて投影光処理部２５により光源ランプ１８を点灯駆動させた上で（ステップＳ１０５）、通常の起動処理に移行する（ステップＳ１０６）。
【００４２】
以後、通常の投影動作を実行するにあたって、同時に光源ランプ１８の状態をマイクロホン２７での音声により検出し（ステップＳ１０７）、光源ランプ１８が破裂したか否かを具体的にはマイクロホン２７で得た音声信号の音圧が所定のしきい値を超えたか否かによりに判断する（ステップＳ１０８）。
【００４３】
マイクロホン２７での音声信号の音圧が所定のしきい値を超えておらず、光源ランプ１８は破裂していないと判断した場合には、さらに操作部３１で電源スイッチをオフするキー操作がなされたか否かを判断する（ステップＳ１０９）。
【００４４】
ここで電源をオフするキー操作もなされていないと判断すると、特になんら問題は生じていないものとして、上記マイクロミラー素子１６、投影レンズユニット２２を含む投影系では通常の投影動作を続行しながら、上記ステップＳ１０７からの処理に戻る。
【００４５】
こうしてステップＳ１０７〜Ｓ１０９の処理を繰返し実行することで、通常の投影動作を続行しながら、光源ランプ１８が破裂するか、電源をオフするキー操作がなされるのを待機する。
【００４６】
しかるに、光源ランプ１８に破裂が生じた場合、上記ステップＳ１０８でこれを判断し、あらためてメインメモリ２９のランプ破裂フラグレジスタにフラグ“１”をセットした後（ステップＳ１１０）、規定の電源オフに伴う各種定型処理を実行し（ステップＳ１１１）、以上でこの図２に示す処理を終了するものとする。
【００４７】
上記電源オフに伴う各種定型処理中には、上述した如くメインメモリ２９のランプ破裂フラグレジスタの内容を不揮発性メモリであるプログラムメモリ３０に転送して保持させる処理も含む。
【００４８】
また、上記ステップＳ１０９において操作部３１で電源スイッチをオフするキー操作がなされたと判断した場合には、そのまま上記ステップＳ１１１に進み、規定の電源オフに伴う各種定型処理を実行して、以上でこの図２に示す処理を終了する。
【００４９】
このように本実施形態によれば、データプロジェクタ装置１０の電源オン時に常時光源ランプ１８の破裂が発生するのを監視しているため、光源ランプ１８が破裂して本来の投影動作からは想定外に消灯した場合に、その要因を特定して対処することが可能となる。
【００５０】
加えて、光源ランプ１８の破裂を検出した時点でメインメモリ２９にランプ破裂フラグレジスタにフラグ“１”をセットし、そのフラグレジスタの内容を電源オフ時にもプログラムメモリ３０に転送設定するようにしているので、一度装置の電源をオフしてしまった後にも光源ランプ１８が破裂した状態であることを示す情報を保持し、再度の電源オン時に不用意に光源ランプ１８への通電を開始するような事態を確実に回避できる。
【００５１】
さらに、上記ランプ破裂フラグレジスタにセットされたフラグは、光源ランプ１８の交換時に操作される専用のリセットキーにより解除するものとしたので、光源ランプ１８の交換を確認した上での正常な動作に安全に移行できる。
【００５２】
なお、上記実施形態では、光源ランプ１８の破裂を検出するための手段として、リフレクタ１７内の光源ランプ１８を含む範囲の音声を集音するマイクロホン２７を設けるものとし、このマイクロホン２７で得られる音声信号の音圧が所定のしきい値を超えたか否かによりに判断するものとした。 
これにより、比較的簡易な構造で、高熱となる光源ランプ１８の熱による影響を排除して正確に光源ランプ１８の破損を判断することができる。
【００５３】
なお、この種のプロジェクタ装置にあっては、光源ランプが高圧水銀灯で１００〜１０００［ｋＰａ］、超高圧水銀灯で１０００［ｋＰａ］以上と、高い圧力の水銀蒸気を封入した構造を有するため、一般に光源ランプがリフレクタと共に全体を防爆ガラスで被覆したユニット構造をとることが多く、そのような構造ではユニット外部から光源ランプの破裂音を検出することは困難となる。
【００５４】
したがって、上記ユニット構造をとる場合にはマイクロホン２７もまた当該ユニット内の密閉空間内の音声を検出するべく一体構造を採り、ユニット単位でマイクロホン２７も合わせて交換するものとするか、あるいはユニット外部の防爆ガラスの一部にマイクロホン２７取付用の貫通孔を形成する必要がある。
【００５５】
なお、上記実施形態では、光源ランプ１８の破損をマイクロホン２７を用いて音声により検出するものとして説明したが、光源ランプ１８が破裂する際には音声のみならず、圧力も一時的に大きく変動するものであるので、上記マイクロホン２７に代えて圧力センサを用いるものとしても良い。
【００５６】
しかして、圧力センサにより光源ランプ１８の破損（破裂）を検出するものとした場合にあっても、比較的簡易な構造で、高熱となる光源ランプ１８の熱による影響を排除して正確に光源ランプ１８の破損を判断することができる。
【００５７】
なお、この圧力センサを用いる場合でも、上述した如く光源ランプをリフレクタと共に防爆ガラスで被覆したユニット構造ではユニット外部から光源ランプの破裂音を検出することは困難となるため、圧力センサで当該ユニット内の密閉空間内の圧力を検出するべく一体構造を採り、ユニット単位で圧力センサも合わせて交換するものとするか、あるいはユニット外部の防爆ガラスの一部に圧力センサ取付用の貫通孔を形成する必要がある。
【００５８】
（第２の実施形態） 
以下本発明をＤＬＰ（登録商標）方式のデータプロジェクタ装置に適用した場合の第２の実施形態について図面を参照して説明する。
【００５９】
図３は、同実施形態に係るデータプロジェクタ装置１０′が備える電子回路の機能構成を示すブロック図である。同図は、画像の投影に係る基本的な構成自体は上記図１に示したデータプロジェクタ装置１０と同様であるため、同一部分には同一符号を付加してその説明は省略するものとする。
【００６０】
さらに、上記図１でのマイクロホン２７に代えて光学レンズ４１及びイメージセンサ４２を配設し、リフレクタ１７内の光源ランプ１８の画像を撮影することができるものとする。イメージセンサ４２で得られた画像信号は、プロセス回路４３にてデジタル化された後、輪郭強調等の処理が施されてからシステムバスＳＢを介してＣＰＵ２８へ送られる。
【００６１】
プログラムメモリ３０には、ＣＰＵ２８が実行する動作プログラムのデータに加えて、上記イメージセンサ４２が撮影するリフレクタ１７内の光源ランプ１８と同様の基準画像が予め記憶されており、ＣＰＵ２８はイメージセンサ４２から得た実画像とプログラムメモリ３０に記憶された基準画像とを比較することで光源ランプ１８の破損（破裂）を判断する。
【００６２】
また、リフレクタ１７内の光源ランプ１８を照明するべくＬＥＤランプ４４が設けられる。このＬＥＤランプ４４は、例えば高輝度白色ＬＥＤで構成され、上記投影光処理部２５の駆動によりリフレクタ１７内の光源ランプ１８を照明する。
【００６３】
次に上記実施形態の動作について説明する。 
なお、上記メインメモリ２９には、光源ランプ１８の破裂が検出された際にフラグ“１”がセットされるランプ破裂フラグレジスタが設けられるものとする。このランプ破裂フラグレジスタの内容はＣＰＵ２８によりセットされるもので、電源オフ時には不揮発性メモリであるプログラムメモリ３０に転送されて保持され、その後の電源オン時にはプログラムメモリ３０に保持されたランプ破裂フラグの内容が読出されて再度メインメモリ２９にセットされることで、ＣＰＵ２８がセット状態を解除しない限り電源のオン／オフに関係なく保持される。
【００６４】
図４は、電源スイッチをオンした直後から通常の投影動作に移行し、以後電源スイッチがオフされるまでの光源ランプ１８に関する処理動作について示したものであり、その動作制御はすべてＣＰＵ２８がプログラムメモリ３０に記憶された動作プログラムを読出してメインメモリ２９に展開しながら実行する。
【００６５】
電源をオンした処理当初には、まずプログラムメモリ３０からメインメモリ２９に読出して保持するランプ破裂フラグレジスタにフラグ“１”がセットされているか否かを判断する（ステップＳ３０１）。
【００６６】
ここで、フラグ“１”がセットされていると判断した場合には、前回の電源オフ時に光源ランプ１８が破裂したままであることになるので、その旨を示すエラーメッセージ、例えば、音声処理部３３を用いてスピーカ部３４より 
「ランプを交換して下さい 
交換後にリセットボタンを押して下さい」 
のような音声ガイドメッセージを拡声放音させる（ステップＳ３０２）。このとき、併せてインジケータ部３２で光源ランプ１８の異常を報知するＬＥＤランプを点滅させることで、光源ランプ１８に何らかの異常が生じていることをユーザに報知するものとしても良い。
【００６７】
その上で、光源ランプ１８の交換とそれに伴う所定の操作、例えばユニット単位で交換する光源ランプ１８の取付け部近傍に、通常の投影動作時に操作するキー操作部とは別に配設されるリセットボタンの操作があったか否かにより、上記ランプ破裂フラグレジスタをリセットするための操作ランプ破裂フラグレジスタをリセットするための操作がなされたか否かを判断する（ステップＳ３０３）。
【００６８】
ここでランプ破裂フラグレジスタのリセット操作がなされない場合には、再び上記ステップＳ３０２の処理に戻り、エラーメッセージの報知を続行する。以後、上記ステップＳ３０２，Ｓ３０３の処理を繰返し実行することで、光源ランプ１８の交換とそれに伴うリセット操作とがなされるのを待機する。
【００６９】
そして、ユーザによりランプ破裂フラグレジスタのリセット操作がなされると、ステップＳ３０３でこれを判断して、操作通りにランプ破裂フラグレジスタにセットされていたフラグ“１”をリセットしてその内容を“０”とする。
【００７０】
なお、当然ながら上記ステップＳ３０１でランプ破裂フラグレジスタにフラグ“１”がセットされていないと判断した場合には、上記ステップＳ３０２〜Ｓ３０４の処理は省略するものとして実行しない。
【００７１】
その後、あらためて投影光処理部２５により光源ランプ１８を点灯駆動させ（ステップＳ３０５）、併せてＬＥＤランプ４４も点灯駆動した上で（ステップＳ３０６）、通常の起動処理に移行する（ステップＳ３０７）。
【００７２】
以後、通常の投影動作を実行するにあたって、同時に光源ランプ１８の状態をイメージセンサ４２により撮影し（ステップＳ３０８）、撮影で得た画像データとプログラムメモリ３０に予め記憶される光源ランプ１８の基準画像データとをパターンマッチング処理により比較することで、光源ランプ１８が破裂したか否かを判断する（ステップＳ３０９）。
【００７３】
撮影により得た画像データが基準画像データをほぼ同等であり、光源ランプ１８は破裂していないと判断した場合には、さらに操作部３１で電源スイッチをオフするキー操作がなされたか否かを判断する（ステップＳ３１０）。
【００７４】
ここで電源をオフするキー操作もなされていないと判断すると、特になんら問題は生じていないものとして、上記マイクロミラー素子１６、投影レンズユニット２２を含む投影系では通常の投影動作を続行しながら、上記ステップＳ３０８からの処理に戻る。
【００７５】
こうしてステップＳ３０８〜Ｓ３１０の処理を繰返し実行することで、通常の投影動作を続行しながら、光源ランプ１８が破裂するか、電源をオフするキー操作がなされるのを待機する。
【００７６】
しかるに、光源ランプ１８に破裂が生じた場合、上記ステップＳ３０９でこれを判断し、あらためてメインメモリ２９のランプ破裂フラグレジスタにフラグ“１”をセットした後（ステップＳ３１１）、規定の電源オフに伴う各種定型処理を実行し（ステップＳ３１２）、以上でこの図４に示す処理を終了するものとする。
【００７７】
上記電源オフに伴う各種定型処理中には、上述した如くメインメモリ２９のランプ破裂フラグレジスタの内容を不揮発性メモリであるプログラムメモリ３０に転送して保持させる処理も含む。
【００７８】
また、上記ステップＳ３１０において、操作部３１で電源スイッチをオフするキー操作がなされたと判断した場合には、そのまま上記ステップＳ３１２に進み、規定の電源オフに伴う各種定型処理を実行して、以上でこの図４に示す処理を終了する。
【００７９】
このように本実施形態によれば、データプロジェクタ装置１０の電源オン時に常時光源ランプ１８の破裂が発生するのを光源ランプ１８の画像により監視し続けるため、光源ランプ１８が破裂して本来の投影動作からは想定外に消灯した場合に、その要因を特定して対処することが可能となる。
【００８０】
特に、この種のプロジェクタ装置にあっては、光源ランプが高圧水銀灯で１００〜１０００［ｋＰａ］、超高圧水銀灯で１０００［ｋＰａ］以上と、高い圧力の水銀蒸気を封入した構造を有するため、一般に光源ランプがリフレクタと共に全体を防爆ガラスで被覆したユニット構造をとることが多く、そのような構造ではユニット外部から光源ランプの破裂による音声や圧力の変動を検出することは困難となる。
【００８１】
しかしながら本実施形態では、イメージセンサにより光源ランプ１８の画像を撮影してその内容から光源ランプ１８の破損（破裂）を検出するものとしたので、ユニット外部からでも確実に光源ランプ１８の破損を判断することができる。
【００８２】
なお、上記各実施形態はいずれも、本発明をＤＬＰ（登録商標）方式のデータプロジェクタ装置に適用した場合について説明したが、光源ランプに放電灯を用いる方式のプロジェクタであれば、構造を形成するために透過型の液晶パネルを用いる液晶方式のプロジェクタ、あるいはリアプロジェクション方式のテレビジョン装置、ＯＨＰ（オーバヘッドプロジェクタ）等、各種他の装置にも同様に適用可能である。
【００８３】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００８４】
１０，１０′…データプロジェクタ装置、１１…入出力コネクタ部、１２…入出力インタフェース（Ｉ／Ｆ）、１３…画像変換部、１４…投影画像処理部、１５…ビデオＲＡＭ、１６…マイクロミラー素子（ＳＯＭ）、１７…リフレクタ、１８…光源ランプ、１９…カラーホイール、２０…インテグレータ、２１…ミラー、２２…投影レンズユニット、２３…ステッピングモータ（Ｍ）、２４…モータ（Ｍ）、２５…投影光処理部、２６…温度センサ、２７…マイクロホン、２８…ＣＰＵ、２９…メインメモリ、３０…プログラムメモリ、３１…操作部、３２…インジケータ部、３３…音声処理部、３４…スピーカ、４１…光学レンズ、４２…イメージセンサ、４３…プロセス回路、４４…ＬＥＤランプ、ＳＢ…システムバス。
【図１】
0005532114.tif 000002
【図２】
0005532114.tif 000003
【図３】
0005532114.tif 000004
【図４】
0005532114.tif 000005